(57)【要約】【課題】暗証番号の不一致回数に応じた認証モードにより効率的な認証処理を行う。【解決手段】入力された暗証番号と予め登録された登録暗証番号が一致するかを照合して不一致回数を登録し、不一致回数が第１の閾値未満の場合は入力された暗証番号と登録された暗証番号が１回一致することにより認証し、不一致回数が第１の閾値に達した場合は暗証番号が一致したときに一致回数を登録し、暗証番号が一致しなかったときに一致回数をクリアし、一致回数が第２の閾値に達したかを照合し、達していなかった場合に達するまで繰り返し暗証番号の再入力を求め、一致回数が第２の閾値に達した場合に認証する。【選択図】      図１
2008269384.tif 000002
【特許請求の範囲】
【請求項１】
制御部と、暗証番号が予め登録された記憶部とを備えたユーザ端末であって、前記制御部は、入力された暗証番号と前記記憶部に予め登録された暗証番号が一致するかを照合し不一致回数を前記記憶部に登録する手段と、不一致回数が所定回数未満の場合は第１の認証モード、不一致回数が所定回数に達した場合は第２の認証モードに基づいて暗証番号の認証を行う手段とを有することを特徴とするユーザ端末。
【請求項２】
前記第１の認証モードにおいては入力された暗証番号と前記記憶部に予め登録された暗証番号が１回一致することにより認証し、前記第２の認証モードにおいては入力された暗証番号と前記記憶部に予め登録された暗証番号が連続して規定回数一致することにより認証することを特徴とする請求項１記載のユーザ端末。
【請求項３】
制御部と、暗証番号，第１の閾値，第２の閾値が予め登録された記憶部とを備えたユーザ端末であって、
前記制御部は、入力された暗証番号と登録された暗証番号が一致するかを照合し不一致回数を前記記憶部に登録する手段と、不一致回数が前記第１の閾値未満の場合は入力された暗証番号と登録された暗証番号が１回一致することにより認証する手段と、不一致回数が前記第１の閾値に達した場合は、暗証番号が一致したときに前記記憶部に一致回数を登録する手段と、暗証番号が一致しなかったときに前記記憶部に登録された一致回数をクリアする手段と、一致回数が前記第２の閾値に達したかを照合する手段と、達していなかった場合に達するまで繰り返し暗証番号の再入力を求める手段と、一致回数が前記第２の閾値に達した場合に認証する手段とを有することを特徴とするユーザ端末。
【請求項４】
前記認証後に一致回数および不一致回数をクリアする手段を、さらに有することを特徴とする請求項３記載のユーザ端末。
【請求項５】
制御部と、暗証番号，所定回数が予め登録された記憶部とを備えたユーザ端末であって、
前記制御部は、入力された暗証番号と登録された暗証番号が一致するかを照合する手段と、一致した場合に一致回数を前記記憶部に登録する手段と、一致しなかった場合に前記記憶部に登録された一致回数をクリアする手段と、一致回数が前記所定回数に達したかを照合する手段と、達していなかった場合に達するまで繰り返し暗証番号の再入力を求める手段と、一致回数が前記所定回数に達した場合に認証する手段とを有することを特徴とするユーザ端末。
【請求項６】
入力された暗証番号と予め登録された暗証番号が一致するかを照合し不一致回数を登録するステップと、不一致回数が所定回数未満の場合と所定回数に達した場合とで認証モードを変更して暗証番号の認証を行うステップとを有することを特徴とする暗証番号認証方法。
【請求項７】
入力された暗証番号と予め登録された暗証番号が一致するかを照合し不一致回数を登録するステップと、不一致回数が第１の閾値未満の場合は入力された暗証番号と登録された暗証番号が１回一致することにより認証するステップと、不一致回数が前記第１の閾値に達した場合は、暗証番号が一致したときに一致回数を登録するステップと、暗証番号が一致しなかったときに一致回数をクリアするステップと、一致回数が第２の閾値に達したかを照合するステップと、達していなかった場合に達するまで繰り返し暗証番号の再入力を求めるステップと、一致回数が前記第２の閾値に達した場合に認証するステップとを有することを特徴とする暗証番号認証方法。
【請求項８】
入力された暗証番号と予め登録された暗証番号が一致するかを照合するステップと、一致した場合に一致回数を登録するステップと、一致しなかった場合に一致回数をクリアするステップと、一致回数が所定回数に達したかを照合するステップと、達していなかった場合に達するまで繰り返し暗証番号の再入力を求めるステップと、一致回数が所定回数に達した場合に認証するステップとを有することを特徴とする暗証番号認証方法。
【請求項９】
入力された暗証番号と予め登録された暗証番号が一致するかを照合し不一致回数を登録する機能、不一致回数が第１の閾値未満の場合は入力された暗証番号と登録された暗証番号が１回一致することにより認証する機能、不一致回数が前記第１の閾値に達した場合は、暗証番号が一致したときに一致回数を登録する機能、暗証番号が一致しなかったときに一致回数をクリアする機能、一致回数が第２の閾値に達したかを照合する機能、達していなかった場合に達するまで繰り返し暗証番号の再入力を求める機能、一致回数が前記第２の閾値に達した場合に認証する機能、をコンピュータに実現させるためのプログラム。
【請求項１０】
入力された暗証番号と予め登録された暗証番号が一致するかを照合する機能、一致した場合に一致回数を登録する機能、一致しなかった場合に一致回数をクリアする機能、一致回数が所定回数に達したかを照合する機能、達していなかった場合に達するまで繰り返し暗証番号の再入力を求める機能、一致回数が所定回数に達した場合に認証する機能、をコンピュータに実現させるためのプログラム。
【発明の詳細な説明】
【技術分野】
【０００１】
本発明は、暗証番号の認証を行うためのユーザ端末，暗証番号認証方法およびプログラムに関する。
【背景技術】
【０００２】
携帯電話機やパーソナルコンピュータ等のユーザ端末におけるロック解除は、例えばユーザが入力したロック解除用暗証番号を認証することにより行われており、暗証番号の認証に関連する技術は特開２００４−２１３２２号公報（特許文献１）に開示されている。
【０００３】
この特許文献１においては、
・ユーザが入力したパスワードと予め登録されたパスワードとを照合し、
・一致しなかった場合は不一致回数登録部に１を加算して登録するとともに、一致回数登録部に登録された一致回数をクリアし、
・一致した場合は一致回数登録部に１を加算して登録し、
・不一致回数と一致回数を比較し、一致回数が不一致回数以上になったときに認証する、
ことが記載されている。
【０００４】
【特許文献１】特開２００４−２１３２２号公報（段落「０００９」〜「００１０」、図１）
【発明の開示】
【発明が解決しようとする課題】
【０００５】
上述した特許文献１においては、不一致回数に関係なく一致回数が不一致回数以上になったときに認証するという一つの認証基準に基づいて認証している。一方、暗証番号の不一致に関しては、正規ユーザがロック解除用暗証番号を操作ミス等で１回誤入力した場合や、第三者が不正利用のために何回も誤入力を繰り返した場合のように異なったケースが考えられる。そして、それぞれのケースに対応した認証基準が望まれるが、特許文献１にはこれら複数の認証基準については何ら言及されていない。
【０００６】
また、上述した特許文献１においては、一致回数が不一致回数以上になったときに認証するため、不一致回数が１回以下の場合は正しいパスワードが１回入力されるだけで認証されるようになっている。このため、例えば、１回目または２回目に偶然正しいパスワードが入力されたような場合にも認証されることになる。これに対して、不一致回数に関係なく、一度正しいパスワードが入力されても再度パスワードを入力させるようにすると、不正入力者は今入力したパスワードが間違いであると勘違いして別のパスワードを入力する可能性が高い。このように、１回正しいパスワードの入力があっても再度入力させ、複数回（例えば、２回）連続して正しいパスワードが入力された場合に認証することによってセキュリティを向上させることができる。このようなセキュリティ向上策は特許文献１には記載されていない。
【０００７】
本発明の目的は、以上の課題のいずれかを解決するユーザ端末，暗証番号認証方法およびプログラムを提供することにある。
【課題を解決するための手段】
【０００８】
本発明の第１のユーザ端末は、制御部と、暗証番号が予め登録された記憶部とを備えたユーザ端末であって、前記制御部は、入力された暗証番号と前記記憶部に予め登録された暗証番号が一致するかを照合し不一致回数を前記記憶部に登録する手段と、不一致回数が所定回数未満の場合は第１の認証モード、不一致回数が所定回数に達した場合は第２の認証モードに基づいて暗証番号の認証を行う手段とを有する。
【０００９】
本発明の第２のユーザ端末は、本発明の第１のユーザ端末において、前記第１の認証モードにおいては入力された暗証番号と前記記憶部に予め登録された暗証番号が１回一致することにより認証し、前記第２の認証モードにおいては入力された暗証番号と前記記憶部に予め登録された暗証番号が連続して規定回数一致することにより認証することを特徴とする。
【００１０】
本発明の第３のユーザ端末は、制御部と、暗証番号，第１の閾値，第２の閾値が予め登録された記憶部とを備えたユーザ端末であって、
前記制御部は、入力された暗証番号と登録された暗証番号が一致するかを照合し不一致回数を前記記憶部に登録する手段と、不一致回数が前記第１の閾値未満の場合は入力された暗証番号と登録された暗証番号が１回一致することにより認証する手段と、不一致回数が前記第１の閾値に達した場合は、暗証番号が一致したときに前記記憶部に一致回数を登録する手段と、暗証番号が一致しなかったときに前記記憶部に登録された一致回数をクリアする手段と、一致回数が前記第２の閾値に達したかを照合する手段と、達していなかった場合に達するまで繰り返し暗証番号の再入力を求める手段と、一致回数が前記第２の閾値に達した場合に認証する手段とを有する。
【００１１】
本発明の第４のユーザ端末は、本発明の第３のユーザ端末において、前記認証後に一致回数および不一致回数をクリアする手段を、さらに有する。
【００１２】
本発明の第５のユーザ端末は、制御部と、暗証番号，所定回数が予め登録された記憶部とを備えたユーザ端末であって、
前記制御部は、入力された暗証番号と登録された暗証番号が一致するかを照合する手段と、一致した場合に一致回数を前記記憶部に登録する手段と、一致しなかった場合に前記記憶部に登録された一致回数をクリアする手段と、一致回数が前記所定回数に達したかを照合する手段と、達していなかった場合に達するまで繰り返し暗証番号の再入力を求める手段と、一致回数が前記所定回数に達した場合に認証する手段とを有する。
【００１３】
本発明の第１の暗証番号認証方法は、入力された暗証番号と予め登録された暗証番号が一致するかを照合し不一致回数を登録するステップと、不一致回数が所定回数未満の場合と所定回数に達した場合とで認証モードを変更して暗証番号の認証を行うステップとを有する。
【００１４】
本発明の第２の暗証番号認証方法は、入力された暗証番号と予め登録された暗証番号が一致するかを照合し不一致回数を登録するステップと、不一致回数が第１の閾値未満の場合は入力された暗証番号と登録された暗証番号が１回一致することにより認証するステップと、不一致回数が前記第１の閾値に達した場合は、暗証番号が一致したときに一致回数を登録するステップと、暗証番号が一致しなかったときに一致回数をクリアするステップと、一致回数が第２の閾値に達したかを照合するステップと、達していなかった場合に達するまで繰り返し暗証番号の再入力を求めるステップと、一致回数が前記第２の閾値に達した場合に認証するステップとを有する。
【００１５】
本発明の第３の暗証番号認証方法は、入力された暗証番号と予め登録された暗証番号が一致するかを照合するステップと、一致した場合に一致回数を登録するステップと、一致しなかった場合に一致回数をクリアするステップと、一致回数が所定回数に達したかを照合するステップと、達していなかった場合に達するまで繰り返し暗証番号の再入力を求めるステップと、一致回数が所定回数に達した場合に認証するステップとを有する。
【００１６】
本発明の第１のプログラムは、入力された暗証番号と予め登録された暗証番号が一致するかを照合し不一致回数を登録する機能、不一致回数が第１の閾値未満の場合は入力された暗証番号と登録された暗証番号が１回一致することにより認証する機能、不一致回数が前記第１の閾値に達した場合は、暗証番号が一致したときに一致回数を登録する機能、暗証番号が一致しなかったときに一致回数をクリアする機能、一致回数が第２の閾値に達したかを照合する機能、達していなかった場合に達するまで繰り返し暗証番号の再入力を求める機能、一致回数が前記第２の閾値に達した場合に認証する機能、をコンピュータに実現させる。
【００１７】
本発明の第２のプログラムは、入力された暗証番号と予め登録された暗証番号が一致するかを照合する機能、一致した場合に一致回数を登録する機能、一致しなかった場合に一致回数をクリアする機能、一致回数が所定回数に達したかを照合する機能、達していなかった場合に達するまで繰り返し暗証番号の再入力を求める機能、一致回数が所定回数に達した場合に認証する機能、をコンピュータに実現させる。
【発明の効果】
【００１８】
本発明においては、間違ったロック解除用暗証番号の入力が所定回数未満の場合と所定回数に達した場合とで認証モードを変更している。このため、正規ユーザがロック解除用暗証番号を操作ミス等で１回誤入力した場合や、第三者が不正利用のために何回も誤入力を繰り返した場合等のそれぞれに対応した効率的な認証が可能になるという効果が得られる。
【００１９】
また、本発明においては、入力された暗証番号が所定回数連続して一致した場合に認証するようにしているため、暗証番号を知らない第三者の不正利用を高いセキュリティで防止できるという効果が得られる。
【発明を実施するための最良の形態】
【００２０】
本発明の実施例について図面を参照して詳細に説明する。
【００２１】
図１は、本発明の一実施例の構成を示す図であり、本発明のユーザ端末１０は、入力部１１と、表示部１２と、記憶部１３と、制御部１４とを備えている。ユーザ端末１０は、携帯電話機，ＰＨＳ(Personal Handyphone System)，ＰＤＡ(Personal Digital Assistance)等の携帯情報端末や、パーソナルコンピュータ等の情報処理装置である。入力部１１
はテンキー，機能キー，ポインティングデバイス等の入力装置であり、表示部１２はＬＣＤ(Liquid Crystal Display)等の表示装置である。記憶部１３は読み出し，書き込み可能な記憶装置であり、ロック解除用暗証番号，暗証番号不一致回数，暗証番号一致回数，認証モード決定用不一致回数および認証成功一致回数を記憶する領域を備えている。ここで、暗証番号不一致回数とは、入力されたロック解除用暗証番号と記憶部１３に登録されたロック解除用暗証番号が連続して一致しなかった回数であり、暗証番号一致回数とは、連続して一致した回数である。また、認証モード決定用不一致回数とは、認証モード（認証基準，認証方法）を決定するための暗証番号不一致回数の閾値であり、認証モードには１回認証モードと複数回認証モードがある。１回認証モードとは、暗証番号不一致回数が認証モード決定用不一致回数（例えば、４回）未満の場合に、入力されたロック解除用暗証番号と記憶部１３に登録されたロック解除用暗証番号が１回一致すれば認証成功とする認証モードである。一方、複数回認証モードとは、暗証番号不一致回数が認証モード決定用不一致回数に達した場合に、入力されたロック解除用暗証番号と記憶部１３に登録されたロック解除用暗証番号が連続して複数回一致することにより認証成功とする認証モードである。認証成功一致回数とは、複数回認証モードにおいて、暗証番号一致回数が何回になれば認証成功とするかを決定するための回数（例えば、３回）である。なお、ロック解除用暗証番号，認証モード決定用不一致回数，認証成功一致回数はユーザにより予め記憶部１３に登録され、暗証番号不一致回数，暗証番号一致回数はユーザからロック解除用暗証番号が入力される度に制御部１４により登録される。
【００２２】
制御部１４は、ＣＰＵ(Central Processing Unit)等の制御装置であり、プログラムに
より動作を制御される。この制御部１４は、
・ユーザから入力されたロック解除用暗証番号を検出し、記憶部１３に登録されたロック解除用暗証番号と一致するかを照合する機能、
・ロック解除用暗証番号が一致した場合に記憶部１３の暗証番号一致回数に１を加算して登録する機能、
・ロック解除用暗証番号が一致しなかった場合、暗証番号不一致回数が認証モード決定用不一致回数未満であれば暗証番号不一致回数に１を加算して登録し、暗証番号不一致回数が認証モード決定用不一致回数であれば暗証番号一致回数をクリアする機能、
・ユーザから入力されたロック解除用暗証番号が登録されたものと一致した場合、暗証番号不一致回数が認証モード決定用不一致回数未満（例えば、４回未満）の場合は認証成功と判定しロック解除する機能、
・暗証番号不一致回数が認証モード決定用不一致回数（例えば、４回）の場合は、暗証番号一致回数が記憶部１３の認証成功一致回数（例えば、３回）に達しているときに認証成功と判定する機能、
を備えている。
【００２３】
次に、本発明の一実施例の動作について図１および図２を参照して説明する。図２は本発明の一実施例の動作を示すフローチャートである。
【００２４】
図２を参照すると、ロックの掛かったユーザ端末１０において、ユーザまたは第三者（以降、ユーザ，第三者を含めてユーザと記す）はロックを解除するために入力部１１からロック解除用暗証番号を入力する（ステップＡ１）。制御部１４は、ユーザから入力されたロック解除用暗証番号と記憶部１３に登録されたロック解除用暗証番号が一致するかを照合する（ステップＡ２）。照合の結果、一致した場合は、制御部１４は記憶部１３に登録された暗証番号不一致回数が認証モード決定用不一致回数未満（例えば、４回未満）かを照合する。この照合は、認証モードを１回認証モードにするか、複数回認証モードにするかを決定するために行われる（ステップＡ３）。認証モード決定用不一致回数に達していた場合はステップＡ１１（複数回認証モード）に進み、達していなかった場合（１回認証モード）は、制御部１４は暗証番号不一致回数をクリア（０回に更新）し（ステップＡ４）、ユーザ端末１０のロックを解除する（ステップＡ５）。
【００２５】
ステップＡ２において、ロック解除用暗証番号が一致しなかった場合は、制御部１４は記憶部１３に登録された暗証番号不一致回数が認証モード決定用不一致回数未満（例えば、４回未満）であるかを照合する。この照合は、認証モードを１回認証モードにするか、複数回認証モードにするかを決定するために行われる（ステップＡ６）。ステップＡ６において、暗証番号不一致回数が認証モード決定用不一致回数未満であった場合（１回認証モード）は、制御部１４は記憶部１３の暗証番号不一致回数に１を加算して登録する（ステップＡ７）。この後、ステップＡ１に戻り、制御部１４は暗証番号入力画面を表示部１２に表示する（ステップＡ７→ステップＡ１）。
【００２６】
ステップＡ６において、暗証番号不一致回数が認証モード決定用不一致回数に達していた場合（複数回認証モード）は、制御部１４は暗証番号入力画面を表示部１２に表示し、ユーザは入力部１１からロック解除用暗証番号を入力する（ステップＡ８）。制御部１４は、ユーザから入力されたロック解除用暗証番号と記憶部１３に登録されたロック解除用暗証番号が一致するかを照合する（ステップＡ９）。照合の結果、一致しなかった場合は、制御部１４は記憶部１３に登録された暗証番号一致回数をクリアし（ステップＡ１０）、ステップＡ８に戻る。照合の結果、一致した場合は、制御部１４は記憶部１３に登録された暗証番号一致回数に１を加算して登録する（ステップＡ１１）。続いて、制御部１４は暗証番号一致回数が認証成功一致回数（例えば、３回）に達したかを照合する（ステップＡ１２）。ステップＡ１２において、暗証番号一致回数が認証成功一致回数に達していなかった場合はステップＡ８に戻り、ステップＡ８〜ステップＡ１２の動作を繰り返す。ステップＡ１２において、暗証番号一致回数が認証成功一致回数に達していた場合は、制御部１４は記憶部１３の暗証番号不一致回数および暗証番号一致回数をクリアし（ステップＡ１３）、ユーザ端末１０のロックを解除する（ステップＡ５）。
【００２７】
以上説明したように、本実施例においては、間違ったロック解除用暗証番号が入力される度に暗証番号不一致回数をカウントし、暗証番号不一致回数が所定回数に達すると予め設定された回数連続して正しいロック解除用暗証番号が入力されない限り認証されない。例えば、ロック解除用暗証番号を知らない第三者がいろいろな暗証番号を次々に入力してロック解除を試みた場合、暗証番号不一致回数が容易に所定回数に達してしまい、複数回連続の正しいロック解除用暗証番号入力がロック解除の要件となる。従って、偶然正しいロック解除用暗証番号が１回入力されたとしても認証されないため、第三者の不正利用を高いセキュリティで防止できるという効果が得られる。
【００２８】
また、本実施例においては、間違ったロック解除用暗証番号の入力が所定回数に達した後はその回数には関係なく、正規ユーザが予め設定した回数連続して正しいロック解除用暗証番号を入力すれば認証される。これにより、第三者がいろいろな暗証番号を次々に入力してロック解除を試みた場合でも何回失敗したかに関係なく、正規ユーザは設定回数だけ正しいロック解除用暗証番号を入力することで認証されるという効果が得られる。換言すれば、背景技術で述べた特許文献１のように、間違ったロック解除用暗証番号の入力回数以上の回数だけ正しいロック解除用暗証番号を連続して入力しなければ認証されない、といった操作の煩わしさから解放される。例えば、ロック解除用暗証番号を知らない第三者がいろいろな暗証番号を次々に入力してロック解除を試みた結果、暗証番号不一致回数が例えば１００回になったとする。この場合、特許文献１の発明においては、正規ユーザは正しいロック解除用暗証番号を１００回入力しなければならないが、本実施例によればユーザが設定した回数（３回）の入力で済むことになる。また、特許文献１においては何回入力すれば認証されるのかがユーザにわからないため、ユーザ端末１０の故障と誤解されるおそれがあるが、本実施例ではそういったことはなくなるという効果も得られる。
【００２９】
また、本実施例においては、間違ったロック解除用暗証番号の入力が所定回数未満の場合には、１回正しいロック解除用暗証番号を入力するだけで認証するようにしている。これにより、ロック解除用暗証番号を知っている正規ユーザが操作ミス等でロック解除用暗証番号を誤入力したような場合に、改めて正しいロック解除用暗証番号を１回入力すれば認証されるという効果が得られる。すなわち、不正利用のために何回も誤入力を繰り返す第三者に対しては複数回認証モードで不正利用を防止する一方、正規ユーザの誤入力時には１回認証モードを適用することにより入力の手間が軽減できる。
【００３０】
次に、本発明の他の実施例について説明する。
【００３１】
本実施例が上述した一実施例と異なる点は、暗証番号不一致回数に基づく一回認証モード，複数回認証モードを適用せず、常時正しい暗証番号が複数回連続して入力された場合に認証するようにした点である。なお、図３は本発明の他の実施例の構成を示す図であり、図１（一実施例の構成）に比べ、記憶部１３Ａにおける暗証番号不一致回数，認証モード決定用不一致回数が削除されている。
【００３２】
次に、本発明の他の実施例の動作について図３および図４を参照して説明する。図４は、本発明の他の実施例の動作を示すフローチャートである。
【００３３】
図４を参照すると、ロックの掛かったユーザ端末１０Ａにおいて、ユーザはロックを解除するために入力部１１からロック解除用暗証番号を入力する（ステップＢ１）。制御部１４Ａは、ユーザから入力されたロック解除用暗証番号と記憶部１３Ａに登録されたロック解除用暗証番号が一致するかを照合する（ステップＢ２）。照合の結果、一致しなかった場合は、制御部１４Ａは記憶部１３Ａに登録された暗証番号一致回数をクリア（０回に更新）し（ステップＢ３）、ステップＢ１に戻る。
【００３４】
ステップＢ２において、ユーザから入力されたロック解除用暗証番号と記憶部１３Ａに登録されたロック解除用暗証番号が一致した場合は、制御部１４Ａは記憶部１３Ａの暗証番号一致回数に１を加算して登録する（ステップＢ４）。次に、制御部１４Ａは記憶部１３Ａの暗証番号一致回数と認証成功一致回数（例えば、２回）が一致するかを照合する（ステップＢ５）。一致しなかった場合（暗証番号一致回数が１回の場合）はステップＢ１に戻り、ステップＢ１〜ステップＢ５の動作を繰り返す。
【００３５】
ステップＢ５において、暗証番号一致回数と認証成功一致回数が一致した場合（暗証番号一致回数が２回の場合）は、制御部１４Ａは記憶部１３Ａの暗証番号一致回数をクリアし（ステップＢ６）、ユーザ端末１０Ａのロックを解除する（ステップＢ７）。
【００３６】
以上説明したように、本実施例においては、入力された暗証番号が連続して一致した回数をカウントし、認証成功一致回数に達したときに認証するようにしている。このように、ロックを解除するためには常に正しいロック解除用暗証番号の複数回連続入力が必要となるため、第三者の不正利用を高いセキュリティで防止できるという効果が得られる。例えば、ロック解除用暗証番号を知らない第三者が偶然正しいロック解除用暗証番号を１回入力したとしてもロックが解除されない。このため、第三者は入力したロック解除用暗証番号が正しくなかったと考えて別のロック解除用暗証番号（誤ったロック解除用暗証番号）を次に入力することが予想されることから、高いセキュリティで不正利用を防止できる。
【００３７】
次に、本発明の応用例，変形例等について説明する。
【００３８】
・上述した一実施例においては、認証モード決定用不一致回数を４回、認証成功一致回数を３回、として説明したが、これらの回数に限定されず、それぞれ別の回数を用いてもよい。
【００３９】
・上述した他の実施例においては、認証成功一致回数を２回として説明したが、より多くの回数としてもよい。
【００４０】
・上述した一実施例において、図２のステップＡ１，ステップＡ８における暗証番号入力画面は同じ画面であってもよいし、別の画面であってもよい。例えば、同じ画面の場合は、単にロック解除用暗証番号の入力を促す画面とし、別の画面にする場合は、ステップＡ８の方には３回連続して暗証番号の入力が必要である旨を表示するようにしてもよい。ステップＡ８における画面を上記のようにすることにより、複数回の暗証番号入力が必要な状態になっていることにユーザが思い至らず、正規ユーザ自身がロックを解除できないと勘違いすることを防ぐことができる。
【００４１】
・上述した一実施例，他の実施例のいずれの実施例でロック解除用暗証番号の認証を行うのかを、ユーザがユーザ端末１０（記憶部１３）に設定するようにしてもよい。この場合、ユーザ端末１０の制御部１４は記憶部１３に設定された実施例情報に応じた制御を行う。
【図面の簡単な説明】
【００４２】
【図１】本発明の一実施例の構成を示す図である。
【図２】本発明の一実施例の動作を示すフローチャートである。
【図３】本発明の他の実施例の構成を示す図である。
【図４】本発明の他の実施例の動作を示すフローチャートである。
【符号の説明】
【００４３】
１０，１０Ａ    ユーザ端末
１１    入力部
１２    表示部
１３，１３Ａ    記憶部
１４，１４Ａ    制御部
【図１】
2008269384.tif 000003
【図２】
2008269384.tif 000004
【図３】
2008269384.tif 000005
【図４】
2008269384.tif 000006